(57)【要約】【課題】  木杭の上部にコンクリート杭をねじ込んで一体化した状態で設けることができ、更に、その一体化した状態で木杭を振動工法や打撃工法等によって地盤に建て込めるようにしたコンクリート杭及びそれを使用した基礎用杭、基礎用杭の建込方法を提供する。【解決手段】  コンクリート杭１は杭本体１０を有している。杭本体１０の上面１０１には、表面が上面１０１と面一にしてナット１１が埋設されている。また、杭本体１０の内部には螺旋体１２が下面１０２から突出するよう埋設されている。杭本体１０のナット１１には、回転用ボルト１３かまたは埋設ボルト１４が取り付けられる。回転用ボルト１３にはナット１３０が取り付けてある。埋設ボルト１４の頭部には、地盤上に配筋される鉄筋Ｔに番線等で縛って固定する連結鉄筋１４０が固着してある。【選択図】        図１
2006132243.tif 000002
【特許請求の範囲】
【請求項１】
木杭の上部に設けて基礎用杭を構成するコンクリート杭であって、
杭本体の上部に設けてある取付手段と、
杭本体の下面から突出して設けてあり、木杭にねじ込んで繋ぐためのねじ込み手段と、
上記取付手段に取り付け可能であり、外部からの回転力を受けて上記ねじ込み手段を木杭にねじ込むべく回転させる回転力伝達手段と、
を備えており、
上記回転力伝達手段は、杭本体を木杭と繋いだ後に上記取付手段から取り外すことができるようにしたことを特徴とする、
コンクリート杭。
【請求項２】
杭本体の上面は平面状または実質的に平面状に形成してあり、取付手段は当該上面より突出しないまたは実質的に突出しないよう埋設してあることを特徴とする、
請求項１記載のコンクリート杭。
【請求項３】
回転力伝達手段を取り外した後の取付手段に取り付け可能であり、建て込んだ状態のコンクリート杭と地盤上に配筋される鉄筋とが直接的または間接的に一体化できる固定手段を備えたことを特徴とする、
請求項１または２記載のコンクリート杭。
【請求項４】
木杭の上部にコンクリート杭を設けて構成する基礎用杭であって、
木杭と、
請求項１，２または３記載のコンクリート杭と、
を備えたことを特徴とする、
基礎用杭。
【請求項５】
木杭の上部にコンクリート杭を設けて構成する基礎用杭の建込方法であって、
コンクリート杭の下面から突出して設けてあるねじ込み手段を木杭の上部にねじ込んで、木杭とコンクリート杭を接合するステップ、
木杭とコンクリート杭を接合した状態で当該木杭及びコンクリート杭を押圧工法、振動工法または打撃工法によって地盤中に建て込むステップ、
を含むことを特徴とする、
基礎用杭の建込方法。
【請求項６】
地盤中に建て込んだ状態のコンクリート杭と地盤上に配筋される鉄筋とを直接的または間接的に一体化するステップを含むことを特徴とする、
請求項５記載の基礎用杭の建込方法。
【発明の詳細な説明】
【技術分野】
【０００１】
本発明はコンクリート杭及びそれを使用した基礎用杭、基礎用杭の建込方法に関する。更に詳しくは、木杭の上部にコンクリート杭をねじ込んで一体化した状態で、例えば、振動工法や打撃工法等によって木杭を回転させずに地盤に建て込めるようにしたものに関する。
【背景技術】
【０００２】
基礎用杭は、建築物を建設する際に重量を地盤中や地盤中の深部で分散して支えるために施工される。基礎用杭としては、例えば、木杭の上部にコンクリート杭を設けて構成したものがある。このような基礎用杭は、木杭の上部にコンクリート杭を載せて設けただけで通常一体化されていない。そのため例えば地盤が歪んで基礎に偏荷重がかかり、基礎用杭に浮き上がらせる力がかかった場合では、コンクリート杭と木杭が離れることが予想される。つまり、上記した基礎用杭は、沈下方向への耐力は備えるが、引き抜き方向への耐力は十分でなかった。
【０００３】
本発明者は、このような課題を解決すべく、特許文献１に開示された発明を完成させた。この基礎用杭は、木杭と、ねじ込み手段を備えたコンクリート杭を備えており、ねじ込み手段を木杭の上部にねじ込むことでコンクリート杭と一体化するものである。これにより基礎用杭に浮き上がらせる力がかかった場合でも、コンクリート杭と木杭が離れず、引き抜き方向に対しても十分な耐力を備えている。
【０００４】
【特許文献１】特開２００３−３２１８３４号公報
【発明の開示】
【発明が解決しようとする課題】
【０００５】
上記した発明は、木杭とコンクリート杭とを一体化すべく繋いで引き抜き方向に対して十分な耐力を備えるようにした点で相応の評価を得ていた。しかし、本発明者は更に研究を進めるにしたがい、次の点が解決できればより好ましい基礎用杭ができることを知見した。
【０００６】
基礎用杭を振動工法や打撃工法で建て込んだ場合では、施工現場の周囲に振動や騒音等を発生させてしまう。そのため上記した基礎用杭では、ねじ込み手段を木杭の上部にねじ込み、そのままコンクリート杭と共に木杭も同時に回転させて建て込んでいた。ところで木杭は、外周面に節などによる自然な凹凸が形成されており、これが地盤中での摩擦抵抗となり沈下方向への耐力を生み出す理由のひとつとされている。
【０００７】
しかし、木杭を地盤中で回転させながら建て込めば、確認はできないが、樹皮が剥がれ節目も削られて外周面がぼろぼろになり、表面に凹凸がなくなった状態になることも考えられる。外周面がこのような状態になった木杭は、摩擦抵抗が低下し、沈下し易くなる可能性が否定できない。従って、場合によっては周囲に振動や騒音を発生させるが、木杭に限っては振動工法や打撃工法で建て込むほうが好ましい。
【０００８】
上記した基礎用杭を構成するコンクリート杭の上部には、外部からの回転力をコンクリート杭に伝えるためのリブが設けてある。このリブはコンクリート杭を回転させて木杭にねじ込むために必要なものである。
【０００９】
しかし、コンクリート杭と木杭とを一体化した後に、振動工法や打撃工法で建て込む場合では、このリブが邪魔になって上部を保持したり叩いたりすることが難しく、うまく建て込めないことがあった。つまり、従来の基礎用杭は振動工法や打撃工法で建て込むのは困難であった。
【００１０】
本発明の目的は、木杭の上部にコンクリート杭をねじ込んで一体化した状態で、例えば、振動工法や打撃工法等によって木杭を回転させずに地盤に建て込めるようにしたコンクリート杭及びそれを使用した基礎用杭、基礎用杭の建込方法を提供することにある。
【課題を解決するための手段】
【００１１】
上記目的を達成するために本発明が講じた手段は次のとおりである。
第１の発明にあっては、
木杭の上部に設けて基礎用杭を構成するコンクリート杭であって、
杭本体の上部に設けてある取付手段と、
杭本体の下面から突出して設けてあり、木杭にねじ込んで繋ぐためのねじ込み手段と、
上記取付手段に取り付け可能であり、外部からの回転力を受けて上記ねじ込み手段を木杭にねじ込むべく回転させる回転力伝達手段と、
を備えており、
上記回転力伝達手段は、杭本体を木杭と繋いだ後に上記取付手段から取り外すことができるようにしたことを特徴とする、
コンクリート杭である。
【００１２】
第２の発明にあっては、
杭本体の上面は平面状または実質的に平面状に形成してあり、取付手段は当該上面より突出しないまたは実質的に突出しないよう埋設してあることを特徴とする、
第１の発明に係るコンクリート杭である。
【００１３】
第３の発明にあっては、
回転力伝達手段を取り外した後の取付手段に取り付け可能であり、建て込んだ状態のコンクリート杭と地盤上に配筋される鉄筋とが直接的または間接的に一体化できる固定手段を備えたことを特徴とする、
第１または第２の発明に係るコンクリート杭である。
【００１４】
第４の発明にあっては、
木杭の上部にコンクリート杭を設けて構成する基礎用杭であって、
木杭と、
第１，第２または第３の発明に係るコンクリート杭と、
を備えたことを特徴とする、
基礎用杭である。
【００１５】
第５の発明にあっては、
木杭の上部にコンクリート杭を設けて構成する基礎用杭の建込方法であって、
コンクリート杭の下面から突出して設けてあるねじ込み手段を木杭の上部にねじ込んで、木杭とコンクリート杭を接合するステップ、
木杭とコンクリート杭を接合した状態で当該木杭及びコンクリート杭を押圧工法、振動工法または打撃工法によって地盤中に建て込むステップ、
を含むことを特徴とする、
基礎用杭の建込方法である。
【００１６】
第６の発明にあっては、
地盤中に建て込んだ状態のコンクリート杭と地盤上に配筋される鉄筋とを直接的または間接的に一体化するステップを含むことを特徴とする、
第５の発明に係る基礎用杭の建込方法である。
【００１７】
取付手段は、杭本体の上面に設けることもできるし、杭本体の上側の外周面に設けることもできる。また、上面と面一になるよう設けることもできるし、上面から凹んだ位置に設けることもできる。
【００１８】
コンクリート杭の下面から突出して設けてあるねじ込み手段は、木杭を地盤中に建て込んだ状態でコンクリート杭を回転させて木杭の上部にねじ込むこともできるし、建て込まない状態で木杭またはコンクリート杭を回転させて木杭の上部にねじ込むこともできる。
【００１９】
（作  用）
本発明によれば、取付手段に回転力伝達手段を取り付けることで外部から回転力を受けることができ、これによりねじ込み手段を木杭の上部にねじ込んでコンクリート杭がを木杭に一体に繋ぐことができる。また、回転力伝達手段は木杭と繋いだ後に取付手段から取り外すことができ、これにより例えば、押圧工法、振動工法または打撃工法によって地盤に建て込む際に邪魔にならないようにでき、木杭をこれらの工法で建て込むことも可能になる。
【００２０】
固定手段を備えたものは、回転力伝達手段を取り外した後の取付手段に取り付けて、建て込んだ状態のコンクリート杭と地盤上に配筋される鉄筋とを直接的または間接的に一体化することができる。
【発明の効果】
【００２１】
（ａ）本発明によれば、木杭の上部にコンクリート杭をねじ込んで一体に繋いだ状態で、例えば、押圧工法、振動工法または打撃工法によって木杭を回転させずに地盤に建て込むことができる。従って、木杭を回転させて建て込んだ場合よりも外周面の損傷が軽減でき、基礎用杭は引き抜き方向へ十分な耐力を備えるようにできる。
【００２２】
（ｂ）地盤中に建て込んだ状態のコンクリート杭と地盤上に配筋される鉄筋とを直接的または間接的に一体化するようにしたものは、例えば、地盤の緩み等によって建築物の重みが基礎の所要部分に偏ってかかり、一部に上方へ浮き上がる力が作用した場合でも、鉄筋とコンクリート杭が外れたり、コンクリート杭と木杭が離れたりしない。このような構造体は、浮き上がらせる力の抵抗となることができ、傾き防止を図ることができる。
【発明を実施するための最良の形態】
【００２３】
本発明の実施の形態を図面に基づき更に詳細に説明する。
図１は本発明に係るコンクリート杭の一実施の形態を示す斜視説明図である。
符号１はコンクリート杭を示している。コンクリート杭１は、木杭２（後述）の上面と同じ程度の直径を有する円柱形状に成形された杭本体１０を有している。
【００２４】
杭本体１０の上面１０１には、表面が上面１０１と面一または実質的に面一になるようにして取付手段であるナット１１が埋設されている。また、杭本体１０の内部には、上端をナット１１の下部と溶接して固着したねじ込み手段である螺旋体１２が、下面１０２から所要長さ突出するよう埋設されている。
【００２５】
杭本体１０に埋設してあるナット１１には、回転力伝達手段である回転用ボルト１３か、または固定手段である埋設ボルト１４が取り付けられる（螺合される）。
【００２６】
回転用ボルト１３は六角頭付きボルトを使用して構成されており、これには予めナット１３０が取り付けられている。回転用ボルト１３は、コンクリート杭１に埋設されたナット１１に回転が停止するまでねじ込まれ、そして、ナット１３０を下降させてナット１１を押圧するように締めて固定した状態で取り付けられる。
【００２７】
埋設ボルト１４も六角頭付きボルトを使用して構成されており、その頭部には、地盤上に配筋される鉄筋Ｔに番線等で縛って固定する連結鉄筋１４０が固着してある。本実施の形態で示す埋設ボルト１４では、二本の連結鉄筋が固着してあるが、この本数は特に限定するものではない。埋設ボルト１４は、ナット１１にねじ込んだ状態で鉄筋Ｔに固定できるよう連結鉄筋を曲げたりして使用される（想像線参照）。
【００２８】
本実施の形態でコンクリート杭１は、長さが１．４ｍで、直径が約２０ｃｍのものを使用したが、長さや径の大きさは地盤の特性等によって適宜設定されるものなので、特に限定するものではない。
【００２９】
また、螺旋体１２は、所要幅を有する平鋼を、一端側をやや残して、長さ方向を軸方向とする周方向にねじって（スパイラル状に）形成してある。本実施の形態で螺旋体１２は、ねじってある状態での長さが約１．６ｍのものを使用した。しかし、螺旋体１２の長さ、太さ（径の大きさ）、螺旋のピッチ等は特に限定するものではなく、木杭や地盤の特性等によって適宜設定される。また、形状も平鋼をねじったもの以外に、例えば、軸棒の周りに羽根部材を螺旋状に設けたようなものを使用することができる。
【００３０】
（作  用）
図２は地盤に建て込んだ木杭の上面に螺旋体案内孔を形成した状態を表す断面説明図、
図３はコンクリート杭を回して螺旋体を木杭にねじ込んでいる状態を表す断面説明図、
図４は木杭とコンクリート杭を一体化した基礎用杭を振動工法により地盤に建て込んでいる状態を表す断面説明図、
図５は地盤上に配筋した鉄筋と建て込んだ基礎用杭をコンクリートで埋めた状態を示す断面説明図である。
【００３１】
図１ないし図５を参照し、コンクリート杭１を使用した基礎用杭Ｋの施工手順及びその作用を説明する。なお、基礎用杭Ｋは、木杭２の上部にコンクリート杭１を設けて構成される。
【００３２】
ここで木杭２について説明する。
木杭２は、所要長さを有し、上面２０１が径大で下部側にいくにつれて徐々に径小になる形状を有している。木杭２の外周面には、節などによる自然な凹凸部が形成されている。また、木杭２の下端部は、地盤に建て込み易いように削って尖らせてある。
【００３３】
(1) 先部を下に向けた状態で木杭２を地盤上に立て、バックホー等の作業機（図示省略）により下方に押し込んで地盤中に鉛直方向に建て込む（図２参照）。木杭２は、通常、押圧工法、振動工法または打撃工法によって建て込まれる。木杭２は上部側がやや地上に残った状態になるまで建て込まれる。
【００３４】
木杭２は上部側へ向けて次第に直径が大きくなっており、しかも、表面には多数の凹凸部があるので、荷重がかかった場合も摩擦抵抗が大きく効果的に沈下が防止できる。
【００３５】
(2) 木杭２の上面（木口面）から螺旋体案内孔２０を長さ方向に所要深さ形成する。螺旋体案内孔２０は、コンクリート杭１が備える螺旋体１２を案内するためのものであり、内径が螺旋体１２を形成する平鋼の幅長より小さく形成してある。螺旋体案内孔２０はドリル等で形成する。なお、螺旋体案内孔２０は、螺旋体１２をねじ込み易くするためのものなので、ねじ込みに支障がなければ設けなくても良い。
【００３６】
(3) コンクリート杭１を木杭２にねじ込む際には、回転用ボルト１３が使用される。回転用ボルト１３は、ナット１１に回転が停止するまでねじ込み、ナット１３０を下降させてナット１１を押圧するように締め、回転用ボルト１３が外れないよう固定した状態で取り付けられる。
【００３７】
(4) 先部に輪部を形成したワイヤーＹをコンクリート杭１の上部に掛けて、輪部を締め上げながらコンクリート杭１を吊り上げ、下面１０２から突出した螺旋体１２の先端を螺旋体案内孔２０に合わせる（図３参照）。そして、ワイヤーＹを緩めてコンクリート杭１の重量が螺旋体１２を介して螺旋体案内孔２０の周りの上面に載った状態にする。このときワイヤーＹはコンクリート杭１から外さず、ワイヤーＹによってコンクリート杭１が倒れないよう支えられた状態にしておく。
【００３８】
(5) 回転用ボルト１３の頭部に外部から回転力を与えるラチェット１５を被せ、これを水平方向に手動で動かしてコンクリート杭１をゆっくりと回転させる。コンクリート杭１は相当の重量を有するので、回転することにより螺旋体１２が螺旋体案内孔２０に案内されながら木杭２にねじ込まれる。コンクリート杭１は下面１０２が木杭２の上面２０１と接するまでねじ込まれる。
こうしてコンクリート杭１を木杭２の上部に繋ぐことで基礎用杭Ｋが構成される。
【００３９】
(6) コンクリート杭１を木杭２に接合した後、ワイヤーＹを外して、ナット１１にねじ込まれていた回転用ボルト１３も取り外す。こうしてコンクリート杭１の上面１０１を平面な状態にする。
【００４０】
(7) 基礎用杭Ｋの上部に、バックホー等の作業機（図示省略）に設けた建て込み用の装置を取り付ける（図４参照）。そして、基礎用杭Ｋを押圧工法、振動工法または打撃工法によって地盤に押し込む。基礎用杭Ｋはコンクリート杭１の上部側がやや地上に残った状態になるまで建て込まれる。
【００４１】
(8) 基礎用杭Ｋを建て込んだ地盤上に鉄筋Ｔを配筋する。鉄筋Ｔは地盤の表面とと略平行な状態で各種の方向に所要間隔を設けて多数配筋してある。
【００４２】
(9) コンクリート杭１のナット１１に埋設ボルト１４を螺合し、頭部に設けられた連結鉄筋１４０を曲げたりして、地盤上に配筋してある鉄筋Ｔと番線Ｓで縛って固定する。なお、連結鉄筋１４０と鉄筋Ｔの固定は溶接で行っても良い。そして、基礎用杭Ｋ及び鉄筋Ｔが埋め込まれるよう地盤上に生コンクリートを流す。生コンクリートは所要期間養生されて固化される。
基礎用杭Ｋは、以上の工程により形成される。
【００４３】
コンクリート杭１と木杭２は、螺旋体１２が木杭２内にねじ込んであるので抜けないよう一体化された状態となる。また、基礎用杭Ｋとべた基礎となるコンクリートＣも、鉄筋Ｔと連結鉄筋１４０を固定した状態でコンクリートに埋設されているので一体化された状態となる。つまり、木杭２とコンクリート杭１と鉄筋ＴとコンクリートＣは一体化された状態となる。
【００４４】
上記したように木杭２とコンクリート杭１と鉄筋ＴとコンクリートＣが一体になっているので、例えば、地盤の緩み等によって建築物の重みが基礎の所要部分に偏ってかかり、一部に上方へ浮き上がる力が作用した場合でも、鉄筋Ｔとコンクリート杭１が外れたり、コンクリート杭１と木杭２が離れたりしない。このような構造体は、浮き上がらせる力の抵抗となることができ、傾き防止を図ることができる。
【００４５】
基礎用杭Ｋは、回転用ボルト１３がコンクリート杭１に取り付け取り外し可能に設けてあるので、取り付けてラチェット１５を操作することでコンクリート杭１を回転させて螺旋体１２を木杭２にねじ込んで一体に繋ぐことができる。また、取り外すことでコンクリート杭１の上面１０１を平面な状態にして、建て込む際に邪魔になるものがない状態にできる。従って、基礎用杭Ｋは、コンクリート杭１を木杭２に繋いだ後に回転用ボルト１３を外すことにより、押圧工法、振動工法または打撃工法によって回転させずに建て込むことができる。この場合、木杭は、回転させた場合よりも外周面の損傷が軽減でき、基礎用杭は引き抜き方向へ十分な耐力を備えるようにできる。
【００４６】
本実施の形態で木杭２は、長さが約４ｍ、上面の直径が約２０ｃｍ、先部側（尖らせた部分を除く）の直径が約１０ｃｍのものを使用した（図では長さを途中省略している）。しかし、木杭２は、地盤の特性等によって使用するものが異なるので、長さや径の大きさは特に限定するものではない。
【００４７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４８】
【図１】本発明に係るコンクリート杭の一実施の形態を示す斜視説明図。
【図２】地盤に建て込んだ木杭の上面に螺旋体案内孔を形成した状態を表す断面説明図。
【図３】コンクリート杭を回して螺旋体を木杭にねじ込んでいる状態を表す断面説明図。
【図４】木杭とコンクリート杭を一体化した基礎用杭を振動工法により地盤に建て込んでいる状態を表す断面説明図。
【図５】地盤上に配筋した鉄筋と建て込んだ基礎用杭をコンクリートで埋めた状態を示す断面説明図。
【符号の説明】
【００４９】
Ｋ  基礎用杭
Ｃ  コンクリート
Ｓ  番線
Ｔ  鉄筋
Ｙ  ワイヤー
１  コンクリート杭
１０  杭本体
１０１  上面
１０２  下面
１１  ナット
１２  螺旋体
１３  回転用ボルト
１３０  ナット
１４  埋設ボルト
１４０  連結鉄筋
１５  ラチェット
２  木杭
２０  螺旋体案内孔
２０１  上面
【図１】
2006132243.tif 000003
【図２】
2006132243.tif 000004
【図３】
2006132243.tif 000005
【図４】
2006132243.tif 000006
【図５】
2006132243.tif 000007